(57)【要約】【課題】取付金物のサッシ枠側取付端部が侵入犯によって容易に破壊されない、高い防犯性を有する遮蔽体の取付装置を提供する。【解決手段】建物の窓開口部Ｏに設置されるサッシ枠１の室外側に面格子などの遮蔽体２を取り付けるための遮蔽体の取付装置であって、サッシ枠１の左右各縦枠４を形成する縦枠本体１０の室外側端部に縦枠本体１０と直交して設けられる室外側壁１２に、縦枠本体１０の外側に位置する取付用凹溝１３を縦枠４の全長にわたって形成し、この取付用凹溝１３には一端側取付部３ａが遮蔽体２の枠部に固着される取付金物３の他端側取付部３ｂを挿入し、縦枠本体１０に設けたネジ具挿通孔１４から取付用凹溝１３に挿入された他端側取付部３ｂに設けられたネジ孔１５にビス１６をねじ込んで締め付けることによって、取付金物３の他端側取付部３ｂをサッシ枠１の室外側端部に取り付ける。【選択図】図１
2010261211.tif 000002
【特許請求の範囲】
【請求項１】
建物の窓開口部に設置されるサッシ枠の室外側に面格子などの遮蔽体を取り付けるための遮蔽体の取付装置であって、サッシ枠の左右各縦枠を形成する縦枠本体の室外側端部に縦枠本体と直交するように設けられる室外側壁に、縦枠本体の外側に位置する取付用凹溝を縦枠の全長にわたって形成し、この取付用凹溝には一端側取付部が遮蔽体の枠部に固着される取付金物の他端側取付部を挿入し、縦枠本体に設けたネジ具挿通孔から前記凹溝内に挿入された前記他端側取付部に設けられたネジ孔にネジ具をねじ込んで締め付けることによって、取付金物の他端側取付部をサッシ枠の室外側端部に取り付けるようにしてなる遮蔽体の取付装置。
【請求項２】
建物の窓開口部に設置されるサッシ枠の室外側に面格子などの遮蔽体を取り付けるための遮蔽体の取付装置であって、サッシ枠の左右各縦枠を形成する縦枠本体の室外側端部に縦枠本体と直交するように設けられる室外側壁には、縦枠本体より外側位置に取付用スリットを縦枠長手方向所要間隔おきに設け、各取付用スリットには、一端側取付部が遮蔽体の枠部に固着される取付金物の他端側取付部に突設されている挿入用突片部を挿入し、縦枠本体に設けられたネジ具挿通孔から挿通したネジ具を、縦枠本体の外側にある挿入用突片部に設けられたネジ孔にねじ込んで締め付けることにより、取付金物の他端側取付部をサッシ枠の室外側端部に取り付けるようにしてなる遮蔽体の取付装置。
【請求項３】
建物の窓開口部に設置されるサッシ枠の室外側に面格子などの遮蔽体を取り付けるための遮蔽体の取付装置であって、サッシ枠の左右各縦枠を形成する縦枠本体の室外側端部に縦枠本体と直交するように設けられる室外側壁には、縦枠本体より内側位置に取付用スリットを縦枠長手方向所要間隔おきに設け、各取付用スリットには、一端側取付部が遮蔽体の枠部に固着される取付金物の他端側取付部に突設されている挿入用突片部を挿入し、各挿入用突片部に設けられたネジ具挿通孔からネジ具を縦枠本体に設けてあるネジ孔にねじ込んで締め付けることによって、取付金物の他端側取付部をサッシ枠の室外側端部に取り付けるようにしてなる遮蔽体の取付装置。
【請求項４】
前記取付金物は、１つの長尺状取付用ブラケット又は複数の短尺状取付用ブラケットからなる請求項１〜３の何れかに記載の遮蔽体の取付装置。
【請求項５】
前記取付金物は、複数のパンチアンカーからなる請求項１〜３の何れかに記載の遮蔽体の取付装置。
【発明の詳細な説明】
【技術分野】
【０００１】
本発明は、建物の窓開口部に設置されるサッシ枠の室外側に、面格子やルーバーなどの遮蔽体を取り付けるための遮蔽体の取付装置に関するものである。
【背景技術】
【０００２】
従来のサッシ枠における遮蔽体の取付装置として、特許公報などの具体的な技術文献を挙げることはできないが、従来より使用されている遮蔽体の取付装置には、図７に示されるようなものがある。即ち、ここに示す取付装置は、一端側取付端部２０ａをビス取付部とし、他端側取付部２０ｂを略Ｕ字状に折曲して挟持部とした取付金物２０からなのもので、建物の窓開口部Ｏに設置されたサッシ枠１を形成する左右各縦枠４の室外側端部に取付金物２０の挟持部２０ｂを嵌め込んで固定すると共に、ビス取付部２０ａを、面格子などの遮蔽体２の左右側枠部にビス２１により取付け固定するようにしたものである。
【０００３】
ところで、サッシ枠の室外側に取り付けられる面格子などの遮蔽体については、特にその取付装置について高い防犯性が必要とされており、そして防犯性の高い取付装置については、「ＣＰマーク」の使用が認められている。なお、ここでいう「ＣＰマーク」のＣＰはcrime prevention（防犯）の略で、ＣＰマークとは、防犯性能の高い建物部品の開発・普及に関する官民合同会議で２００５年に決められた防犯性能試験に合格した建物部品に付けられるマークのことである。
【０００４】
一戸建て住宅やマンションの侵入犯の侵入手口としては、バールやハンマーなどを建物部品に激しく打ち付けて荒っぽく破壊する方法があり、このような方法を行って侵入犯が「侵入に５分以上かかると、侵入犯は侵入をあきらめると」いうデーターにもとづいて、ＣＰマーク認定の防犯性能試験の一つでは、それと同じような方法を行い、５分間で破壊できなければ合格とされ、ＣＰマークが認定されるようになっている。そこで、図８に示すような遮蔽体の取付装置に対し上記防犯性能試験と同様な試験を実施したところ、取付金物２０のサッシ枠側取付端部２０ｂが５分内の短い時間で破壊されてしまい、防犯性能が低いことが分かった。
【発明の概要】
【発明が解決しようとする課題】
【０００５】
本発明は、上記のような課題に鑑み、取付金物のサッシ枠側取付端部が侵入犯によって容易に破壊されることのない、高い防犯性を有する遮蔽体の取付装置を提供することを目的とする。
【課題を解決するための手段】
【０００６】
上記課題を解決するための手段を、後述する実施形態の参照符号を付して説明すると、請求項１に係る発明は、建物の窓開口部Ｏに設置されるサッシ枠１の室外側に面格子などの遮蔽体２を取り付けるための遮蔽体の取付装置であって、サッシ枠１の左右各縦枠４を形成する縦枠本体１０の室外側端部に縦枠本体１０と直交するように設けられる室外側壁１２に、縦枠本体１０の外側に位置する取付用凹溝１３を縦枠４の全長にわたって形成し、この取付用凹溝１３には一端側取付部３ａ，１９ａが遮蔽体２の枠部に固着される取付金物３，１９の他端側取付部３ｂ，１９ｂを挿入し、縦枠本体１０に設けたネジ具挿通孔１４から前記凹溝１３内に挿入された前記他端側取付部３ｂ，１９ｂに設けられたネジ孔１５にネジ具１６をねじ込んで締め付けることによって、取付金物３，１９の他端側取付部３ｂ，１９ｂをサッシ枠１の室外側端部に取り付けるようにしてなることを特徴とする。
【０００７】
請求項２に係る発明は、建物の窓開口部Ｏに設置されるサッシ枠１の室外側に面格子などの遮蔽体２を取り付けるための遮蔽体の取付装置であって、サッシ枠１の左右各縦枠４を形成する縦枠本体１０の室外側端部に縦枠本体１０と直交するように設けられる室外側壁１２には、縦枠本体１０より外側位置に取付用スリット１８を縦枠長手方向所要間隔おきに設け、各取付用スリット１８には、一端側取付部３ａ，１９ａが遮蔽体２の枠部に固着される取付金物３，１９の他端側取付部３ｂ，１９ｂに突設されている挿入用突片部２０を挿入し、縦枠本体１０に設けられたネジ具挿通孔１４から挿通したネジ具１６を、縦枠本体１０の外側にある挿入用突片部２０に設けられたネジ孔１５にねじ込んで締め付けることにより、取付金物３，１９の他端側取付部３ｂ，１９ｂをサッシ枠１の室外側端部に取り付けるようにしてなることを特徴とする。
【０００８】
請求項３に係る発明は、建物の窓開口部Ｏに設置されるサッシ枠１の室外側に面格子などの遮蔽体２を取り付けるための遮蔽体の取付装置であって、サッシ枠１の左右各縦枠４を形成する縦枠本体１０の室外側端部に縦枠本体１０と直交するように設けられる室外側壁１２には、縦枠本体１０より内側位置に取付用スリット１８を縦枠長手方向所要間隔おきに設け、各取付用スリット１８には、一端側取付部３ａ，１９ａが遮蔽体２の枠部に固着される取付金物３，１９の他端側取付部３ｂ，１９ｂに突設されている挿入用突片部２０を挿入し、各挿入用突片部２０に設けられたネジ具挿通孔１４からネジ具１６を縦枠本体１０に設けてあるネジ孔１５にねじ込んで締め付けることによって、取付金物３，１９の他端側取付部３ｂ，１９ｂをサッシ枠１の室外側端部に取り付けるようにしてなることを特徴とする。
【０００９】
請求項４は、請求項１〜３の何れかに記載の遮蔽体の取付装置において、前記取付金物は、１つの長尺状取付用ブラケット３又は複数の短尺状取付用ブラケット３からなることを特徴とする。
【００１０】
請求項５は、請求項１〜３の何れかに記載の遮蔽体の取付装置において、前記取付金物は、複数のパンチアンカー１９からなることを特徴とする。
【発明の効果】
【００１１】
上記解決手段による発明の効果を、後述する実施形態の参照符号を付して説明すると、請求項１に係る発明の遮蔽体取付装置によれば、ネジ具１６によってサッシ縦枠４の室外側端部に取り付けられる取付金物３，１９の他端側取付部３ｂ，１９ｂ（サッシ枠側取付部）が取付用凹溝１３内に没入されると共に、ネジ具１６が縦枠本体１０の内側から、取付用凹溝１３内にある取付金物３，１９のサッシ枠側取付部３ｂ，１９ｂにねじ込まれて、サッシ枠側取付部３ｂ，１９ｂが取付用凹溝１３の縦枠本体１０側側面に圧着されるようになるため、この取付金物３，１９のサッシ枠側取付部３ｂ，１９ｂを、マンションなどへの侵入犯がバールやハンマーなどで破壊しようとしても、短時間では容易に破壊することができず、高い防犯性を有する。
【００１２】
請求項２に係る発明の遮蔽体取付装置によれば、ネジ具１６によってサッシ縦枠４の室外側端部に取り付けられる取付金物３，１９の他端側取付部３ｂ，１９ｂ（サッシ枠側取付部）に突設された挿入用突片部２０が、サッシ縦枠４の室外側壁１２の取付用スリット１８から縦枠本体１０の外側面に接するように挿入されると共に、ネジ具１６が縦枠本体１０の内側から前記挿入用突片部２０にねじ込まれることから、この取付金物３，１９のサッシ枠側取付部３ｂ，１９ｂを、侵入犯がバールやハンマーなどで破壊しようとしても、短時間では容易に破壊することができず、高い防犯性を有する。
【００１３】
請求項３に係る発明の遮蔽体取付装置によれば、ネジ具１６によってサッシ縦枠４の室外側端部に取り付けられる取付金物３，１９の他端側取付部３ｂ，１９ｂ（サッシ枠側取付部）に突設された挿入用突片部２０が、サッシ縦枠４の室外側壁１２の取付用スリット１８から縦枠本体１０の内側面に接するように挿入されると共に、ネジ具１６が縦枠本体１０の内側から前記挿入用突片部２０のネジ具挿通孔１４を挿通して、縦枠本体１０のネジ孔１５にねじ込まれることから、この取付金物３，１９のサッシ枠側取付端部３ｂ，１９ｂを侵入犯がバールやハンマーなどで破壊しようとしても、短時間では容易に破壊することができず、高い防犯性を有する。
【００１４】
請求項４に係る発明のように、請求項１〜３に記載の取付金物としては、１つの長尺状取付用ブラケット３又は複数の短尺状取付用ブラケット３を使用することができる。
【００１５】
請求項５に係る発明のように、請求項１〜３に記載の取付金物としては、複数のパンチアンカー１９を使用することができる。
【図面の簡単な説明】
【００１６】
【図１】本発明に係る遮蔽体取付装置を有するサッシ窓全体の横断面図である。
【図２】サッシ窓全体の縦断面図である。
【図３】(a) は遮蔽体取付装置の分解斜視図、(b) は取付後の状態を示す平面図である。
【図４】他の実施形態による遮蔽体取付装置を有するサッシ窓全体の縦断面図である。
【図５】(a) は本発明に係る他の遮蔽体取付装置の分解斜視図、(b) は取付後の状態を示す平面図である。
【図６】(a) は本発明に係る更に他の遮蔽体取付装置の分解斜視図、(b) は取付後の状態を示す平面図である。
【図７】従来の遮蔽体取付装置を有するサッシ窓全体の横断面図である。
【発明を実施するための形態】
【００１７】
以下に本発明の好適な一実施形態を図面に基づき説明すると、図１及び図２において、１は建物の窓開口部Ｏに設置されたサッシ枠で、このアルミ製のサッシ枠１の室外側に、遮蔽体としての可動ルーバー面格子２が、アングル形に形成された複数個の短尺状取付用ブラケット（取付金物）３を含む遮蔽体取付装置によって取り付けられている。サッシ枠１は、左右縦枠４，４と上下横枠５，６とによって枠組み形成され、このサッシ枠１内にガラス障子７，７が引き違い式に嵌装されている。尚、可動ルーバー面格子２は、周枠８内に多数のルーバー９を開閉可能に配設してなるもので、ルーバー９の開閉駆動機構については、その図示及び説明を省略する。
【００１８】
本発明に係る遮蔽体取付装置について説明すれば、この遮蔽体取付装置は、図１〜図３に示すように、サッシ枠１を形成する左右各縦枠４の縦枠本体１０の室内側端部と室外側端部に夫々縦枠本体１０と直交するように設けられる室内外側壁１１，１２の室外側壁１２に、縦枠本体１０の外側に位置する取付用凹溝１３を縦枠４の全長にわたって形成し、この取付用凹溝１３に、一端側取付部３ａが面格子２（遮蔽体）の周枠８の縦枠部８ａにボルト又はリベット２１で固着される取付用ブラケット３の他端側取付部３ｂを挿入し、そうして縦枠本体１０の所定個所に設けた上下に隣り合うネジ具挿通孔１４，１４から、取付用凹溝１３内に挿入された他端側取付部、即ちサッシ枠側取付部３ｂの対応する位置に設けてあるネジ孔１５，１５に夫々ビス（ネジ具）１６をねじ込んで締め付けることにより、取付用ブラケット３のサッシ枠側取付部３ｂをサッシ枠１の室外側端部に取り付けるようにしたものである。
【００１９】
図３の(a) ，(b) に示すように、取付用凹溝１３は、縦枠本体１０の外側面から一体突設されたＬ字状枠部片３０によって形成されたもので、この取付用凹溝１３を挟んで縦枠４の室外側壁１２の内側部分が内側側壁部１２ａを形成し、外側部分が外側側壁部１２ｂを形成している。また図３の(a) に示すように、縦枠本体１０の室内外側壁１１，１２には夫々外側端部に突片１１ｏ，１２ｏが対向突設されている。
【００２０】
また図３の(a) に示すように、アルミ押出形材からなるアングル形の取付用ブラケット３の一端側取付部３ａには、面格子２の周枠８の縦枠部８ａにボルト止め又はリベット止めするためのボルト孔１７又はリベット孔が設けられている。
【００２１】
上記のような構成よりなる遮蔽体取付装置によってサッシ枠１の室外側端部に面格子２を取り付けるには、先ず、サッシ枠１の左右各縦枠４の取付用凹溝１０に取付用ブラケット３を複数個所要間隔おきに取り付ける。各取付用ブラケット３の取付けにあたっては、図３の(a) に示すように、左右各縦枠４の取付用凹溝１０内に各取付用ブラケット３の他端側、即ちサッシ枠側取付部３ｂを挿入し、そうして縦枠本体１０の内側からビス１６を縦枠本体１０のネジ具挿通孔１４に通し、取付用凹溝１３内に挿入された取付用ブラケット３のサッシ枠側取付部３ｂの対応するネジ孔１５にねじ込んで締め付け、図３の(b) に示すような状態とする。
【００２２】
こうして各取付用ブラケット３のサッシ枠側取付部３ｂをサッシ枠１の室外側端部に取り付けた後、各取付用ブラケット３の遮蔽体側取付部３ａを面格子２の周枠８の縦枠部８ａに対し、例えばリベット２１によって固着する。
【００２３】
このような遮蔽体取付装置によれば、ビス(ネジ具）１６によってサッシ縦枠４の室外側端部に取り付けられる取付用ブラケット３のサッシ枠側取付部（他端側取付部）３ｂが、左右各縦枠４の室外側壁１２に形成した取付用凹溝１３内に没入されると共に、ビス１６が縦枠本体１０の内側からブラケット３のサッシ枠側取付部３ｂにねじ込まれて、サッシ枠側取付部３ｂが取付用凹溝１３の縦枠本体１０側側面に圧着されるようになるため、このブラケット３のサッシ枠側取付端部３ｂをマンションなどへの侵入犯がバールやハンマーなどで破壊しようとしても、短時間では容易に破壊することができず、高い防犯性を有するものである。
【００２４】
この実施形態では、遮蔽体取付装置における取付金物として図２及び図３に示すような複数個の短尺状取付用ブラケット３を使用したが、取付金物としては、図４の実施形態に示すように一つの長尺状取付用ブラケット３からなるものでもよく、また図５及び図６に示すようなパンチアンカー１９でもよい。尚、このパンチアンカー１９の場合は、図５、図６に示すような挿入用突片部２０を形成することなく、パンチアンカー１９のサッシ枠側取付部１９ｂをそのまま取付用凹溝１３に挿入すればよい。また図４は、取付用ブラケット３が一つの長尺状となっている以外は、図２及び図３の実施形態と同じであるから、同一符合を付して説明を省略する。
【００２５】
図５の(a) は本発明に係る他の遮蔽体取付装置を示す分解斜視図であり、(b) は取付後の状態を示す平面図である。この遮蔽体取付装置は、サッシ枠１を形成する左右各縦枠４の縦枠本体１０の縦枠本体１０の室内側端部と室外側端部に夫々縦枠本体１０と直交するように設けられる室内外側壁１１，１２の室外側壁１２に、図５の(b) から分かるように縦枠本体１０よりも外側の位置に取付用スリット１８を縦枠４の長手方向所要間隔おきに形成し、上下に隣り合う２つの取付用スリット１８，１８には、取付金物としてのパンチアンカー１９のサッシ枠側取付部１９ｂの対応する位置に突設されている上下２つの挿入用突片部２０，２０を挿入し、そうしてサッシ枠１の縦枠本体１０に設けてあるネジ具挿通孔１４から挿通したビス（ネジ具）１６を、縦枠本体１０の外側位置に挿入されている各挿入用突片部２０に設けられたネジ孔１５にねじ込んで締め付けることにより、パンチアンカー１９のサッシ枠側側取付部１９ｂをサッシ枠１の室外側端部に取り付けるようにしたものである。縦枠本体１０の室内外側壁１１，１２には夫々外側端部に突片１１ｏ，１２ｏが対向突設されている。
【００２６】
図５の(a) に示す取付金物としてのパンチアンカー１９は、ステンレス鋼板をプレス加工してアングル形に形成したもので、一端側である遮蔽体側取付部１９ａが面格子２（遮蔽体）の周枠８の縦枠部８ａにボルト又はリベットで固着され、他端側であるサッシ枠側取付部１９ｂには上下両端部に、サッシ縦枠４の室外側壁１２に設けてある取付用スリット１８に挿入可能な挿入用突片部２０が夫々突設され、各挿入用突片部２０にはネジ孔１５が設けられている。この図５の(a) において、１９ｃはパンチアンカー１９に設けられた補強リブを示す。
【００２７】
この図５の(a) に示される遮蔽体取付装置によってサッシ枠１の室外側端部に面格子２を取り付けるには、サッシ縦枠４の室外側壁１２にある上下に隣り合う２つの取付用スリット１８，１８に、パンチアンカー１９のサッシ枠側取付部１９ｂに突設されている上下２つの挿入用突片部２０，２０を挿入し、サッシ枠１の縦枠本体１０に設けられたネジ具挿通孔１４から挿通したビス１６を、縦枠本体１０の外側に位置する各挿入用突片部２０のネジ孔１５にねじ込んで締め付けることによって、各挿入用突片部２０を縦枠本体１０の外側面に引き寄せて圧接し、これによりパンチアンカー１９のサッシ枠側取付部１９ｂをサッシ枠１の室外側端部に対し堅固に取り付け固定することができる。
【００２８】
このような遮蔽体取付装置によれば、ビス（ネジ具）１６によってサッシ縦枠４の室外側端部に取り付けられるパンチアンカー１９のサッシ枠側取付部（他端側取付部）１９ｂの挿入用突片部２０が、サッシ縦枠４の室外側壁１２の取付用スリット１８から縦枠本体１０の外側面に接するように挿入されると共に、ビス１６が縦枠本体１０の内側からパンチアンカー１９の挿入用突片部２０にねじ込まれ、それにより挿入用突片部２０を縦枠本体１０の外側面に引き寄せられて圧接されることから、このパンチアンカー１９のサッシ枠側取付端部１９ｂを侵入犯がバールやハンマーなどで破壊しようとしても、短時間では容易に破壊することができず、高い防犯性を有する。
【００２９】
この図５に示す実施形態では、取付金物としてパンチアンカー１９を使用し、このパンチアンカー１９のサッシ枠側取付部１９ｂに挿入用突片部２０，２０を突設しているが、取付金物としては、図３に示すようなアルミ押出形材からなるアングル形の取付用ブラケットを使用し、そのサッシ枠側取付部に挿入用突片部を突設してもよい。またその場合、取付用ブラケットは、１つの長尺状のものでもよいし、複数の短尺状のものでもよい。
【００３０】
図６の(a) は本発明に係る更に他の遮蔽体取付装置を示す分解斜視図であり、(b) は取付後の状態を示す平面図である。この遮蔽体取付装置は、サッシ枠１を形成する左右各縦枠４の縦枠本体１０の縦枠本体１０の室内側端部と室外側端部に夫々縦枠本体１０と直交するように設けられる室内外側壁１１，１２の室外側壁１２に、縦枠本体よりも内側の位置に取付用スリット１８を縦枠４の長手方向所要間隔おきに設け、各取付用スリット１８には、取付金物としてのパンチアンカー１９のサッシ枠側取付部１９ｂの対応する位置に突設されている挿入用突片部２０を夫々挿入し、そしてサッシ枠１の縦枠本体１０の内側からビス（ネジ具）１６を、縦枠本体１０の内側位置に挿入されている各挿入用突片部２０に設けられたネジ具挿通孔１４に挿通し、縦枠本体１０に設けられたネジ孔１５にねじ込んで締め付けることにより、パンチアンカー１９のサッシ枠側取付部１９ｂをサッシ枠１の室外側端部に取り付けるようにしたものである。
【００３１】
この図５の(a) に示される遮蔽体取付装置によってサッシ枠１の室外側端部に面格子２を取り付けるには、サッシ縦枠４の室外側壁１２に縦枠本体１０の内側に位置するように設けてある複数の取付用スリット１８に、パンチアンカー１９のサッシ枠側取付部１９ｂの挿入用突片部２０，２０を挿入した後、サッシ枠１の縦枠本体１０に設けられたネジ具挿通孔１４から挿通したビス１６を、縦枠本体１０のネジ孔１５にねじ込んで締め付けることにより、パンチアンカー１９のサッシ枠側取付部１９ｂの各挿入用突片部２０を、縦枠本体１０の内側面に圧接した状態に固着し、これによりパンチアンカー１９のサッシ枠側取付部１９ｂをサッシ枠１の室外側端部に取り付ける。
【００３２】
このような遮蔽体取付装置によれば、ビス（ネジ具）１６によってサッシ縦枠４の室外側端部に取り付けられるパンチアンカー１９のサッシ枠側取付部（他端側取付部）１９ｂの挿入用突片部２０が、サッシ縦枠４の室外側壁１２の取付用スリット１８から縦枠本体１０の内側面に接するように挿入されると共に、ビス１６が縦枠本体１０の内側からパンチアンカー１９の挿入用突片部２０を挿通して、縦枠本体１０のネジ孔１５にねじ込まれることから、このパンチアンカー１９のサッシ枠側取付端部１９ｂを侵入犯がバールやハンマーなどで破壊しようとしても、短時間では容易に破壊することができない。
【００３３】
この図６に示す実施形態では、取付金物としてパンチアンカー１９を使用し、このパンチアンカー１９のサッシ枠側取付部１９ｂに挿入用突片部２０，２０を突設しているが、取付金物としては、図３に示すようなアルミ押出形材からなるアングル形の取付用ブラケットを使用し、そのサッシ枠側取付部に挿入用突片部を突設してもよく、またその場合、取付用ブラケットは、１つの長尺状のものでもよいし、複数の短尺状のものでもよい。
【符号の説明】
【００３４】
１            サッシ枠
２            面格子（遮蔽体）
３            取付用ブラケット（取付金物）
３ａ          取付用ブラケット（取付金物）の一端側（遮蔽体側）取付部
３ｂ          取付用ブラケット（取付金物）の他端側（サッシ枠側）取付部
４            サッシ枠の縦枠
１０          取付用凹溝
１１          クサビ板
１２          凸段部
１３          凹段部
１４          凹部
１５          凸部
【図１】
2010261211.tif 000003
【図２】
2010261211.tif 000004
【図３】
2010261211.tif 000005
【図４】
2010261211.tif 000006
【図５】
2010261211.tif 000007
【図６】
2010261211.tif 000008
【図７】
2010261211.tif 000009